(57)【要約】【課題】長尺の折り目のないウェブを、筋折り回数をより多くして折り畳んでも、ウェブの折り畳み縁端の姿勢が乱れることなく端正に揃って維持形成される長尺印刷物の筋折り付きジグザグ折り装置を提供する。【解決手段】本発明に係る長尺印刷物の筋折り付きジグザグ折り装置は、ウェブ給紙部２２からウェブ送り出し部２３を介して給紙されるウェブ２０に、二重あるいは２条の筋折りを幅方向に付けるウェブ筋折り付け部２５と、このウェブ筋折り付け部２５の入口側および出口側のそれぞれに設けられ、前記ウェブ筋折り付け部２５によってウェブに二重の筋折りを付ける際に発生する張力を吸収する第１ウェブ張力吸収部２４および第２ウェブ張力吸収部２６と、この第２ウェブ張力吸収部２６から送り出されるウェブ２０をジグザグに折り畳むウェブ折り畳み部２７と、ジグザグに折り畳まれたウェブ２０を切断するウェブ裁断部２８とを備えた。【選択図】  図１
2010180013.tif 000002
【特許請求の範囲】
【請求項１】
ウェブ給紙部からウェブ送り出し部を介して給紙されるウェブに、二重あるいは２条の筋折りを幅方向に付けるウェブ筋折り付け部と、このウェブ筋折り付け部の入口側および出口側のそれぞれに設けられ、前記ウェブ筋折り付け部によってウェブに二重の筋折りを付ける際に発生する張力を吸収する第１ウェブ張力吸収部および第２ウェブ張力吸収部と、この第２ウェブ張力吸収部から送り出されるウェブをジグザグに折り畳むウェブ折り畳み部と、ジグザグに折り畳まれたウェブを切断するウェブ裁断部とを備えたことを特徴とする長尺印刷物の筋折り付きジグザグ折り装置。
【請求項２】
前記ウェブ給紙部は、巻き取りロール紙を支持する巻き取りシャフトに制動力を与えるロックレバーを備えたことを特徴とする請求項１記載の長尺印刷物の筋折り付きジグザグ折り装置。
【請求項３】
前記第１ウェブ張力吸収部および前記第２ウェブ張力吸収部は、ともに、ウェブをＵ字状のループに形成することを特徴とする請求項１記載の長尺印刷物の筋折り付きジグザグ折り装置。
【請求項４】
前記ウェブ筋折り付け部は、第１筋折り付け胴と第２筋折り付け胴とを備えるとともに、各筋折り付け胴のそれぞれに、周方向に沿ってオス刃とメス刃を交互に配置して備えたことを特徴とする請求項１記載の長尺印刷物の筋折り付きジグザグ折り装置。
【請求項５】
前記オス刃は、中間部分を直線状の平坦にし、両縁端を傾斜に形成したことを特徴とする請求項４記載の長尺印刷物の筋折り付きジグザグ折り装置。
【請求項６】
前記ウェブ筋折り付け部は、入口側と出口側とのそれぞれにトラックピンを設けるとともに、入口側に設けたトラックピンを二重配置に構成したことを特徴とする請求項１記載の長尺印刷物の筋折り付きジグザグ折り装置。
【請求項７】
前記トラックピンは、長円状のチェーンで構成し、このチェーンに群としてのピンを設けたことを特徴とする請求項６記載の長尺印刷物の筋折り付きジグザグ折り装置。
【請求項８】
前記ウェブ折り畳み部は、前記ウェブ筋折り付け部によって筋折りが付されたウェブに挟圧力を与える第１プリツロール胴と第２プリツロール胴を備えるとともに、これらプリツロール胴から挟圧力が与えられたウェブをジクザグ折りにして折畳むジグザグ折り収集部を備えたことを特徴とする請求項１記載の長尺印刷物の筋折り付きジグザグ折り装置。
【請求項９】
前記ウェブ折り畳み部は、入口側にトラックピンを設けるとともに、入口側に設けたトラックピンを二重配置に構成したことを特徴とする請求項８記載の長尺印刷物の筋折り付きジグザグ折り装置。
【請求項１０】
前記ジグザグ折り収集部は、回転軸と、この回転軸から削り出し、螺旋状に形成する仕切りとで構成したことを特徴とする請求項１記載の長尺印刷物の筋折り付きジグザグ折り装置。
【請求項１１】
前記ジグザグ折り収集部は、前記回転軸の入口側に設けられ、前記第１プリツロール胴および前記第２プリツロール胴から送られてくるウェブがジグザグ折りの山部および谷部を形成する際にサポートする回転羽根を備えたことを特徴とする請求項１記載の長尺印刷物の筋折り付きジグザグ折り装置。
【発明の詳細な説明】
【技術分野】
【０００１】
本発明は、文字、図表やダイヤフラム等の印刷を付した長尺のウェブ（用紙；連続フォーム）をジグザグ折りに折り畳んだ長尺印刷物の筋折り付きジグザグ折り装置に係り、特に折り畳んだウェブの重ね合せ枚数が多くなっても、どのウェブの折り畳み縁端もずれることなく端正に整うことができるように改良を加えた長尺印刷物の筋折り付きジグザグ折り装置に関する。
【背景技術】
【０００２】
例えば、保険約款書、税金納付通知書等の冊子や交通機関の時刻用のダイアグラム等の印刷物は、そのページ数が多くなってくるにつれ、携帯持参の簡易性や見開きの利便性から図７に示すように、ジグザグ折りに折り畳む印刷物にすることがある。
【０００３】
このようなジグザグ折りに折り畳む印刷物を製作するジグザグ折り装置には、例えば、特許文献１に記載された発明が提案されている。
【０００４】
このジグザグ折り装置は、連続するウェブの流れに沿って順に、中間折り畳み装置、切断折り畳み装置、搬出装置を備え、連続するウェブに折りぐせを付け、折り畳みの作業を滑らかにし、ウェブの折りミスを少なくさせたものである。
【０００５】
そして、ウェブに折りぐせを付ける中間折り畳み装置は、図８に示すように、連続する長尺のウェブ１の流れ方向に向って順に、折り目ミシン装置２、ウェブ１に張力を与えるプルローラ３、凹刃４を備えたくせ付胴５と凸刃６を備えたくせ付け胴７とで構成する折りぐせ装置８およびシュータ９、スタッカ１０を備える中間折り装置１１を設けている。
【０００６】
このような構成を備える中間折り畳み装置において、ウェブ１は、折り目ミシン装置２でミシン目が付された後、折りぐせ装置８のくせ（折り目）付け胴６，７の回転中、凹凸刃４，６によって折りぐせ（折り目）が付けられ、さらに中間折り装置１１のシュータ９の一点鎖線方向の揺動によってジグザグ状に折り曲げられてスタッカ１０に堆積される。
【０００７】
さらに、スタッカ１０に堆積された折りぐせの付いたウェブ１は、プルローラ１１ａを介して搬出装置（図示せず）に給紙される。
【０００８】
また、特許文献２に見られる別のジグザグ折り装置は、例えば、図面のサイズＡ０，Ａ１を、例えばＡ４サイズに折り畳むミシン目を付していないものが提案されている。
【０００９】
このジグザグ折り装置は、図９に示すように、正転、逆転自在な無端状ベルトコンベア１２の一側に、折りローラ１３ａと押圧ローラ１４ａを組みとする第１折りローラ装置１５ａと、この第１折りローラ装置１５ａの他側に折りローラ１３ｂと押圧ローラ１４ｂを組みとする第２折りローラ装置１５ｂとを備え、対をなす搬送ローラ１６ａ，１６ｂを介して給紙部（図示せず）から送られてくる長尺のウェブ１をコンベアベルト１２の矢印Ａの方向に向わせ、第１折りローラ装置１５ａを介して送り出し、第１検出装置１７ａに至ると、コンベアベルト１２を逆方向に駆動している。
【００１０】
逆方向Ｂに向って移動するウェブ１は、図１０に示すように、搬送ローラ１６ａ，１６ｂの挟圧力を受けながら進む間に、湾曲状のたわみＲが形成され、湾曲状のたわみＲのまま第２折りローラ装置１５ｂを進む間に折り畳められ、第２検出装置１７ｂに至る。
【００１１】
第２検出装置１７ｂに移動したウェブ１は、図１１に示すように、正転させたベルトコンベア１２を介して第１折りローラ装置１５ａに向って移動し、移動中、上述と同様に形成された湾曲状のたわみＲを折り畳んで第１検出装置１７ａに至る。
【００１２】
そして、ウェブ１は、ベルコンベア１２上を往復動する間に、例えば、サイズＡ１の図面からサイズＡ４の図面に折り畳められる。
【００１３】
このように、ジグザグ折り装置には、ウェブ１の用途、ウェブ１の腰の強さ（剛性）等に基づく折り畳み力によって使い分けられて提案されており、そのさらなる発展が期待されている。
【先行技術文献】
【特許文献】
【００１４】
【特許文献１】特開２００４−２２４４７７号公報
【特許文献２】特開平１１−３４９２１８号公報
【発明の概要】
【発明が解決しようとする課題】
【００１５】
図８に示されたジグザグ折り装置は、ウェブ１にミシン目を付すと折りミスが多く出ることを考慮し、折りぐせ装置８を設けたものであるが、ミシン目のないウェブ１をそのまま折りぐせ装置８に通過させても無秩序な多重折り目筋ができるだけであって、折り畳みの際、ウェブ１の縁端がずれることなく端正に整わせることが難しい。
【００１６】
他方、図９〜図１１に示されたジグザグ折り装置は、大きなサイズの図面を小さなサイズの図面に折り畳むために使用されるものであり、長尺の印刷物を連続して数多く折り畳むことに自ずと限界がある。
【００１７】
本発明は、このような事情に基づいてなされたものであり、印刷を付した長尺の折り目のないウェブを、筋折り回数をより多くして折り畳んでも、ウェブの折り畳み縁端の姿勢が乱れることなく、端正に揃って維持形成されている長尺印刷物の筋折り付きジグザグ折り装置を提供することを目的とする。
【課題を解決するための手段】
【００１８】
本発明に係る長尺印刷物の筋折り付きジグザグ折り装置は、上述の目的を達成するため、請求項１に記載したように、ウェブ給紙部からウェブ送り出し部を介して給紙されるウェブに、二重あるいは２条の筋折りを幅方向に付けるウェブ筋折り付け部と、このウェブ筋折り付け部の入口側および出口側のそれぞれに設けられ、前記ウェブ筋折り付け部によってウェブに二重の筋折りを付ける際に発生する張力を吸収する第１ウェブ張力吸収部および第２ウェブ張力吸収部と、この第２ウェブ張力吸収部から送り出されるウェブをジグザグに折り畳むウェブ折り畳み部と、ジグザグに折り畳まれたウェブを切断するウェブ裁断部とを備えたものである。
【００１９】
また、本発明に係る長尺印刷物の筋折り付きジグザグ折り装置は、上述の目的を達成するため、請求項２に記載したように、前記ウェブ給紙部は、巻き取りロール紙を支持する巻き取りシャフトに制動力を与えるロックレバーを備えたものである。
【００２０】
また、本発明に係る長尺印刷物の筋折り付きジグザグ折り装置は、上述の目的を達成するため、請求項３に記載したように、前記第１ウェブ張力吸収部および前記第２ウェブ張力吸収部は、ともに、ウェブをＵ字状のループに形成するものである。
【００２１】
また、本発明に係る長尺印刷物の筋折り付きジグザグ折り装置は、上述の目的を達成するため、請求項４に記載したように、前記ウェブ筋折り付け部は、第１筋折り付け胴と第２筋折り付け胴とを備えるとともに、各筋折り付け胴のそれぞれに、周方向に沿ってオス刃とメス刃を交互に配置して備えたものである。
【００２２】
また、本発明に係る長尺印刷物の筋折り付きジグザグ折り装置は、上述の目的を達成するため、請求項５に記載したように、前記オス刃は、中間部分を直線状の平坦にし、両縁端を傾斜に形成したものである。
【００２３】
また、本発明に係る長尺印刷物の筋折り付きジグザグ折り装置は、上述の目的を達成するため、請求項６に記載したように、前記ウェブ筋折り付け部は、入口側と出口側とのそれぞれにトラックピンを設けるとともに、入口側に設けたトラックピンを二重配置に構成したものである。
【００２４】
また、本発明に係る長尺印刷物の筋折り付きジグザグ折り装置は、上述の目的を達成するため、請求項７に記載したように、前記トラックピンは、長円状のチェーンで構成し、このチェーンに群としてのピンを設けたものである。
【００２５】
また、本発明に係る長尺印刷物の筋折り付きジグザグ折り装置は、上述の目的を達成するため、請求項８に記載したように、前記ウェブ折り畳み部は、前記ウェブ筋折り付け部によって筋折りが付されたウェブに挟圧力を与える第１プリツロール胴と第２プリツロール胴を備えるとともに、これらプリツロール胴から挟圧力が与えられたウェブをジクザグ折りにして折畳むジグザグ折り収集部を備えたものである。
【００２６】
また、本発明に係る長尺印刷物の筋折り付きジグザグ折り装置は、上述の目的を達成するため、請求項９に記載したように、前記ウェブ折り畳み部は、入口側にトラックピンを設けるとともに、入口側に設けたトラックピンを二重配置に構成したものである。
【００２７】
また、本発明に係る長尺印刷物の筋折り付きジグザグ折り装置は、上述の目的を達成するため、請求項１０に記載したように、前記ジグザグ折り収集部は、回転軸と、この回転軸から削り出し、螺旋状に形成する仕切りとで構成したものである。
【００２８】
また、本発明に係る長尺印刷物の筋折り付きジグザグ折り装置は、上述の目的を達成するため、請求項１１に記載したように、前記ジグザグ折り収集部は、前記回転軸の入口側に設けられ、前記第１プリツロール胴および前記第２プリツロール胴から送られてくるウェブがジグザグ折りの山部および谷部を形成する際にサポートする回転羽根を備えたものである。
【発明の効果】
【００２９】
本発明に係る長尺印刷物の筋折り付きジグザグ折り装置は、ウェブをジグザグに折り畳む際、ウェブの一側縁端が早く移動したり、遅れたり、あるいは迫り上ったりして乱れができないようにするとともに、ジグザグ折りの回数がより多くなってもウェブの折り畳み縁端がずれることなく端正に整う構成にしたので、折りミスのない長尺印刷物の筋折り付きジグザグ折り装置を実現することができる。
【図面の簡単な説明】
【００３０】
【図１】本発明に係る長尺印刷物の筋折り付きジグザグ折り装置の実施形態を示す全体概念図。
【図２】本発明に係る長尺印刷物の筋折り付きジグザグ折り装置におけるウェブ給紙、ウェブ送り出し部、第１ウェブ張力吸収部のそれぞれを示す概念図。
【図３】本発明に係る長尺印刷物の筋折り付きジグザグ折り装置におけるウェブ筋折り付け部を示す概念図。
【図４】本発明に係る長尺印刷物の筋折り付きジグザグ折り装置におけるウェブ折り畳み部を示す概念図。
【図５】本発明に係る長尺印刷物の筋折り付きジグザグ折り装置におけるジグザグ折り収集部を示す概念図。
【図６】本発明に係る長尺印刷物の筋折り付きジグザグ折り装置において、ジグザグ折りの山部、谷部を形成する際のウェブの挙動サイクルを示す概念図。
【図７】従来のジグザグ折りに折り畳む印刷物を示す図。
【図８】ミシン目を付した従来のジグザグ折り装置を示す概念図。
【図９】従来の筋折り付きのジグザグ折り装置において、ウェブのジグザグ折りの挙動を示すもので、ウェブの初期状態を示す図。
【図１０】従来の筋折り付きのジグザグ折り装置において、ウェブのジグザグ折りの挙動を示すもので、ウェブの折り畳みを示す図。
【図１１】従来の筋折り付きジグザグ折り装置において、ウェブのジグザグ折りの挙動を示すもので、ウェブの折り畳みが繰り返し行われていることを示す図。
【発明を実施するための形態】
【００３１】
以下、本発明に係る長尺印刷物の筋折り付きジグザグ折り装置の実施形態を添付図面を参照して説明する。
【００３２】
図１は、本発明に係る長尺印刷物の筋折り付きジグザグ折り装置の実施形態を示す全体概念図である。
【００３３】
本実施形態に係る長尺印刷物の筋折り付きジグザグ折り装置は、長尺のウェブ（用紙；連続フォーム）２０の移動方向に向って順に、巻き取りロール紙２１を備えるウェブ給紙部２２、ウェブ２０を第１ウェブ張力吸収部２４に送り出すウェブ送り出し部２３、第１ウェブ張力吸収部２４からのウェブ２０に、その横断（幅）方向に向って筋折りを付けるウェブ筋折り付け部２５、このウェブ筋折り付け部２５からのウェブ２０の張力を吸収する第２ウェブ張力吸収部２６、この第２ウェブ張力吸収部２６からのウェブ２０をジグザグ状に折り畳むウェブ折り畳み部２７、ジグザグ状に折り畳まれたウェブ２０を裁断するウェブ裁断部２８を備える構成になっている。
【００３４】
ウェブ給紙部２２は、巻き取りロール紙２１のウェブ２０の両側縁端（マージナルゾーン）に、予めウェブ送り用のパンチ穴（ピン穴）２９を設けるとともに、ウェブの所要位置に文字や図表等の印刷を必要に応じて付す一方、図２に示すように、巻き取りロール紙２１を支持する巻き取りシャフト３０にロックレバー３１を設け、不測の事態が発生したとき、巻き取りロール紙２１に制動力を与える構成になっている。
【００３５】
ウェブ送り出し部２３は、図２に示すように、テンションローラ３２、プルローラ３３を備え、ウェブ２０を蛇行状に移動させて第１ウェブ張力吸収部２４に送り出している。
【００３６】
第１ウェブ張力吸収部２４は、ウェブ筋折り付け部２５から発生する張力によってウェブ２０の一側が移動方向に向って進みすぎたり、あるいは遅れすぎたりするのを防止し、ウェブ２０の円滑でスムーズな送りを保証し、さらにはウェブ２０にしわが発生しないようにするものである。第１ウェブの張力吸収部２４は、ウェブ２０をＵ字状のループの弛緩状態に維持させるとともに、ウェブ２０の挙動を監視するセンサ３４を設けている。
【００３７】
ウェブ筋折り付け部２５は、ペアにして組み込むドラム状の第１筋折り付け胴３５と第２筋折り付け胴３６とを設けるとともに、その入口側にウェブ２０の両縁端側に沿って二重に配置する第１トラックピン３７ａ，３７ｂおよび第２トラックピン３８ａ，３８ｂと、その出口側に第３トラックピン３９とを設けている。
【００３８】
第１筋折り付け胴３５と第２筋折り付け胴３６は、図３に示すように、金属製のオス刃４０とウレタン製のメス刃４１を、その周方向に沿って交互に配置し、ベルトを介装させてモータ駆動のプーリ（ともに図示せず）の駆動力によって回転し、オス刃４０をメス刃４１に挿通させる際の押圧力によってウェブ２０の幅方向に筋折り（折り目）を形成させている。そして、このウェブ２０の筋折りは、山部の形状と谷部の形状とが交互に形成される。
【００３９】
一方、第１筋折り付け胴３５と第２筋折り付け胴３６との入口側に設けた第１トラックピン３７ａ，３７ｂおよび第２トラックピン３８ａ，３８ｂは、第１筋折り付け胴３５および第２筋折り付け胴３６のそれぞれのオス刃４０およびメス刃４１によってウェブ２０の幅方向に凸または凹がライン状に形成される。オス刃４０とメス刃４１によってウェブ２０に筋折り３５ａが付されるときに発生する張力によってウェブ４０の一側が前後、左右に移動したり、あるいは迫り上がったりすることを防止し、正確な送りと乱れのない位置決めとをピン送りにより維持している。ウェブ２０のピン送りは、長円状のチェーンに複数のピンを備えたピン群体として構成し、トラックピンをウェブ２０の両縁端（マージナルゾーン）に形成する送り用のパンチ穴（ピン穴）２９に挿通させている。
【００４０】
また、第１筋折り付け胴３５と、第２筋折り付け胴３６との出口側に設けた第３トラックピン３９も、上述と同様に、長円状のチェーンに複数のピンを備えたピン群体とし、これらピンにウェブ２０のパンチ穴２９を挿通させ、ウェブ２０に正確な送りと乱れのない位置決めを維持させている。
【００４１】
なお、ウェブ筋折り付け部２５の第１筋折り付け胴３５および第２筋折り付け胴３６と、第１〜第３トラックピン３７ａ，３７ｂ，３８ａ，３８ｂ，３９の長円状のチェーンとは回転速度を同期させている。
【００４２】
このようにして、筋折り３５ａが付されたウェブ２０をウェブ筋折り付け部２５からウェブ折り畳み部２７に送り出す中間位置には、図１に示すように、第２ウェブ張力吸収部２６が設けられている。
【００４３】
この第２ウェブ張力吸収部２６は、第１ウェブ張力吸収部２４と同様に、ウェブ２０をＵ字ループの弛緩状態に維持させ、ウェブ２０の筋折りの際に連続して発生する累積の張力を第３トラックピン３９で取り切れなかった残りを取り除き、ウェブ折り畳み部２７への張力の影響を与えないようにしている。
【００４４】
ウェブ折り畳み部２７は、図４に示すように、筋折り（折り目）３５ａが付され、第２ウェブ張力吸収部２６から送られてくるウェブ２０の前後方向、左右方向に進み、送り、迫り上り等の乱れがないように、ウェブ２０の両縁端に沿って二重配置の第１ウェブ折り畳み部用トラックピン４２ａ，４２ｂと、第２ウェブ折り畳み部用トラックピン４３ａ，４３ｂを備えている。各トラックピンはキャタピラ状無端ベルトに複数本ずつ植設されている。
【００４５】
これら第１ウェブ折り畳み部用トラックピン４２ａ，４２ｂおよび第２ウェブ折り畳み部用トラックピン４３ａ，４３ｂは、ともに、上述と同様に、長円状のチェーンに複数のピンを備えるピン群体として構成される。
【００４６】
また、ウェブ折り畳み部２７は、第２ウェブ折り畳み用トラックピン４３ａ，４３ｂの出口側に設けられ、ウェブ２０に挟圧力を与え、かつウェブ２０が山部、谷部としてジグザグ折りを形成するための筋折りの送り出しを促す第１プリツロール胴４４と第２プリツロール胴４５と、これら各プリツロール胴４４，４５の出口側に設けられ、ウェブ２０をジグザグ折りにして折り畳むジグザグ折り収集部（スパイラル部）４６を備えている。
【００４７】
このジグザグ折り収集部（スパイラル部）４６は、ウェブ２０の両縁端側に沿い、かつ第１プリツロール胴４４および第２プリツロール胴４５のそれぞれに対応して４つの第１ジグザグ折り収集部４６ａ１，４６ａ２と第２ジグザグ折り収集部４６ｂ１，４６ｂ２になっている。
【００４８】
そして、各ジグザグ折り収集部４６ａ１，４６ａ２，……は、図５に示すように、回転軸４７ａ，４７ｂと、これら回転軸４７ａ，４７ｂの外周側に設けられるヘリカルブレード４８ａ，４８ｂと、回転軸４７ａ，４７ｂの先端中央の第１プリツロール胴４４および第２プリツロール胴４５のそれぞれに対峙して設けられる折りくせアシスト用のガイドブレード４９ａ，４９ｂ，４９ｃ，４９ｄとで構成される。ガイドブレード４９ａ〜４９ｄから回転軸４７ａ，４７ｂの軸方向に延びるヘリカルブレード４８ａ，４８ｂに連続している。ガイドブレード４９ａ〜４９ｄの自由端はヘリカルブレード４８ａ，４８ｂの外周側から半径方向外方に所要量突出している。
【００４９】
これらガイドブレード４９ａ，４９ｂ，……は、ウェブ２０の番手が、例えば、９０ｋｇ／ｍ２、サイズが６インチ（１５２．４ｍｍ）以上になると、腰（剛性）が弱く、ウェブ２０の一縁端側が前進したり、遅れたり、あるいは迫り上がったりして乱れる（ジャム）ことを抑制するものであり、第１プリツロール胴４４および第２プリツロール胴４５から送られてくるウェブ２０が、例えば頭部側のガイドブレード４９ａ，４９ｂ側に迫り上がるとき、その底部側のガイドブレード４９ｃ，４９ｄを回転させて頭部に向うウェブ２０の山部を形成するための腰折れをサポートしてジグザグ折り収集部４６に送り込ませる一方、ウェブ２０が底部側に向って谷部を形成するとき、頭部側のガイドブレード４９ａ，４９ｂの回転力によってウェブ２０を支持し、谷部の形成をサポートしている。
【００５０】
なお、第１プリツロール胴４４、第２プリツロール胴４５およびガイドブレード４９ａ，４９ｂ，……を備えた第１ジグザグ折り収集部４６ａ１，４６ａ２、第２ジグザグ折り収集部４６ｂ１，４６ｂ２は、図１に示すように、プーリ５０ａ，５０ｂを介装してモータ（図示せず）に接続され、互いを同期させている。
【００５１】
ウェブ裁断部２８は、ベルトコンベア５１に切断機５２を備え、ジグザグに折り畳まれたウェブ２０の山部の数が予め定められた数になったとき、ウェブ２０の谷部から切断機５１で裁断する構成になっている。
【００５２】
次に、本実施形態に係る長尺印刷物の筋折り付きジグザグ折り装置の作用を説明する。
【００５３】
ウェブ給紙部２２からウェブ送り出し部２３を介してウェブ筋折り付け部２５に供給されたウェブ２０は、ここで、図３に示す第１筋折り付け胴３５のオス刃４０の第２筋折り付け胴３６のメス刃４１への挿通の際の押圧力によって筋折り３５ａが凹凸の幅方向の折り目が付けられる。この筋折り３５ａは、オス刃４０の断面形状が中間部分で直線状の平坦にし、両縁端が傾斜状になっているので、二重折りになっている。
【００５４】
そして、筋折りを付ける際、ウェブ２０は、図１に示すように、ウェブ筋折り付け部２５側に張力Ｔ１が発生し、ウェブ筋折り付け部２５から離れる側に反作用としての張力Ｔ２，Ｔ３が発生する。
【００５５】
このため、ウェブ送り出し部２３の出口側に第１ウェブ張力吸収部２４を設けるとともに、ウェブ筋折り付け部２５の出口側に第２ウェブ張力吸収部２６を設け、ウェブ２０にＵ字状のループを形成させて発生する張力を吸収している。
【００５６】
また、ウェブ２０に張力Ｔ１が発生したとき、ウェブ２０の一側が進みすぎたり、遅れすぎたり、あるいは迫り上りが出ることを抑制するために、ウェブ筋折り付け部２５の入口側に第１トラックピン３７ａ，３７ｂ、第２トラックピン３８ａ，３８ｂの二重配置にするとともに、その出口側に第３トラックピン３９を設け、ウェブ２０姿勢が乱れないように維持させている。
【００５７】
第２ウェブ張力吸収部２６を出たウェブ２０は、図４に示すように、二重配置の第１ウェブ折り畳み用トラックピン４２ａ，４２ｂ、第２ウェブ折り畳み部用トラックピン４３ａ，４３ｂで移動の際に姿勢の乱れがないように維持させ、ウェブ折り畳み部２７に送られる。
【００５８】
ウェブ折り畳み部２７は、第１プリツロール胴４４および第２プリツロール胴４５によってウェブ２０に挟圧力を与えて迫り上がらせ、図５に示すように、第１ジグザグ折り収集部（スパイラル部）４６ａ１，４６ａ２および第２ジグザグ折り収集部（スパイラル部）４６ｂ１，４６ｂ２に供給する。
【００５９】
第１ジグザグ折り収集部４６ａ１，４６ａ２および第２ジグザグ折り収集部４６ｂ１，４６ｂ２に供給されたウェブ２０は、図６に示す折りサイクルによって折り畳められる。
【００６０】
ここで、図６は、ジグザグ折りの山部、谷部を形成する際のウェブ２０の挙動サイクルを示す概念図である。
【００６１】
初期設定時、第１プリツロール胴４４および第２プリツロール胴４５によって挟圧力が与えられたウェブ２０は、ガイドブレード４９ｃ，４９ｄのサポートの下、迫り上り、第１ジグザグ折り収集部４６ａ１，４６ａ２の回転軸４７ａに向って移動し（サイクル１）、やがて回転軸４７ａに至ると（サイクル２）、回転軸４７ａがストッパの役目をしている間に湾曲状のたるみができ（サイクル３）、このＵ字湾曲状のたるみが大きくなって第２ジグザグ折り収集部４６ｂ１，４６ｂ２の回転軸４７ｂに向って移動する（ステップ４）。この間、最初に折り畳められたウェブ２０は、ヘリカルブレード４８ａ，４８ｂを介してウェブ裁断部２８に向って移動する。
【００６２】
第２ジグザグ折り収集部４６ｂ１，４６ｂ２の回転軸４７に送り出されたウェブ２０は、やがて回転軸４７ｂに至り、この回転軸４７ｂがストッパとなって反転する（サイクル５）。
【００６３】
反転したウェブ２０は、ガイドブレード４９ａ，４９ｂのサポートの下、回転軸４７ｂに設けたヘリカルブレード４８ａ，４８ｂを介して移動する間Ｕ字湾曲状のたるみができ（サイクル６）、やがてたるみが大きくなって迫り上り（サイクル７）、ついには第１ジグザグ折り収集部４６ａ１，４６ａ２の回転軸４７ａに向って移動する（サイクル８）。
【００６４】
そして、ウェブ２０は、これらの挙動が順次繰り返えされて折り畳められ、ウェブ裁断部２８に送り出される。
【００６５】
このように、本実施形態は、ウェブ給紙部２２からのウェブ２０を、ウェブ送り出し部２３、第１ウェブ張力吸収部２４を介してウェブ筋折り付け部２５に供給するとき、ウェブ２０に筋折りを付すときに発生する張力やウェブ２０の腰の弱さ（剛性）によるウェブ一側縁端の進みすぎ、遅れすぎや迫り上がり等による姿勢乱れの発生を抑制する構成にするとともに、ウェブ筋折り付け部２５からの筋折りが付されたウェブ２０を、第２ウェブ張力吸収部２６、ウェブ折り畳み部２７を介してウェブ裁断部２８に供給するとき、折り畳んだウェブ２０のジグザグ折り回数がより多くなっても、どのウェブの折り畳み縁端もずれることなく端正に整うことができる構成にしたので、折りミスのない長尺印刷物の筋折り付きジグザグ折り装置を実現することができる。
【００６６】
なお、本発明の実施形態では、長尺のウェブが長尺印刷物である例を示したが、ウェブは長尺の印刷されていない連続フォームであってもよい。
【符号の説明】
【００６７】
１  ウェブ（用紙；連続フォーム）
２  折り目ミシン装置
３  プルローラ
４  凹刃
５  くせ付け胴
６  凸刃
７  くせ付け胴
８  折りぐせ装置
９  シュータ
１０  スタッカ
１１  中間折り装置
１１ａ  プルローラ
１２  ベルトコンベア
１３ａ，１３ｂ  折りローラ
１４ａ，１４ｂ  押圧ローラ
１５ａ  第１折りローラ
１５ｂ  第２折りローラ
１６ａ，１６ｂ  搬送ローラ
１７ａ  第１検出装置
１７ｂ  第２検出装置
２０  ウェブ（用紙；連続フォーム）
２１  巻き取りロール紙
２２  ウェブ給紙部
２３  ウェブ送り出し部
２４  第１ウェブ張力吸収部
２５  ウェブ筋折り付け部
２６  第２ウェブ張力吸収部
２７  ウェブ折り畳み部
２８  ウェブ裁断部
２９  パンチ穴
３０  巻き取りシャフト
３１  ロックレバー
３２  テンションローラ
３３  プルローラ
３４  センサ
３５  第１筋折り付け胴
３５ａ  筋折り
３６  第２筋折り付け胴
３７ａ，３７ｂ  第１トラックピン
３８ａ，３８ｂ  第２トラックピン
３９  第３トラックピン
４０  オス刃
４１  メス刃
４２ａ，４２ｂ  第１ウェブ折り畳み部用トラックピン
４３ａ，４３ｂ  第２ウェブ折り畳み部用トラックピン
４４  第１プリツロール胴
４５  第２プリツロール胴
４６  ジグザグ折り収集部
４６ａ１，４６ａ２  第１ジグザグ折り収集部
４６ｂ１，４６ｂ２  第２ジグザグ折り収集部
４７ａ，４７ｂ  回転軸
４８ａ，４８ｂ  仕切り
４９ａ，４９ｂ，４９ｃ，４９ｄ  回転用紙
５０ａ，５０ｂ  プーリ
５１  ベルトコンベア
５２  切断機
【図１】
2010180013.tif 000003
【図２】
2010180013.tif 000004
【図３】
2010180013.tif 000005
【図４】
2010180013.tif 000006
【図５】
2010180013.tif 000007
【図６】
2010180013.tif 000008
【図７】
2010180013.tif 000009
【図８】
2010180013.tif 000010
【図９】
2010180013.tif 000011
【図１０】
2010180013.tif 000012
【図１１】
2010180013.tif 000013